(57)【特許請求の範囲】
【請求項１】
ビデオカメラとの結合面に電気的結合部と機械的結合部を備えたバッテリーパックにおいて、
上記結合面の下部に設けられた電気的結合部である第１の結合手段と、
上記結合面の上記第１の結合手段より上部に設けられ、上記ビデオカメラへの取り付けの際に上記第１の結合手段をセンターリングするためのテーパー状ガイドを有する機械的結合部である第２の結合手段とを
備え、
上記第１の結合手段と上記第２の結合手段を上記結合面に対して埋め込み、
上記第２の結合手段の両側から下部にかけて上記結合面に形成された凹所であって、上記ビデオカメラへの取り付けの際に上記第２の結合手段と結合する上記ビデオカメラ側の結合手段が挿入される凹所を設け、
上記第１の結合手段の両側縁にガイド溝を設けること
をことを特徴とするバッテリーパック。
【請求項２】
ビデオカメラとの結合面に電気的結合部と機械的結合部を備えたアダプターにおいて、
上記結合面の下部に設けられた電気的結合部である第１の結合手段と、
上記結合面の上記第１の結合手段より上部に設けられ、上記ビデオカメラへの取り付けの際に上記第１の結合手段をセンターリングするためのテーパー状ガイドを有する機械的結合部である第２の結合手段とを
備え、
上記第１の結合手段と上記第２の結合手段を上記結合面に対して埋め込み、
上記第２の結合手段の両側から下部にかけて上記結合面に形成された凹所であって、上記ビデオカメラへの取り付けの際に上記第２の結合手段と結合する上記ビデオカメラ側の結合手段が挿入される凹所を設け、
上記第１の結合手段の両側縁にガイド溝を設けること
をことを特徴とするアダプター。
【請求項３】
ビデオカメラとの結合面に電気的結合部と機械的結合部を備えたカメラ付属品において、
上記結合面の下部に設けられた電気的結合部である第１の結合手段と、
上記結合面の上記第１の結合手段より上部に設けられ、上記ビデオカメラへの取り付けの際に上記第１の結合手段をセンターリングするためのテーパー状ガイドを有する機械的結合部である第２の結合手段とを
備え、
上記第１の結合手段と上記第２の結合手段を上記結合面に対して埋め込み、
上記第２の結合手段の両側から下部にかけて上記結合面に形成された凹所であって、上記ビデオカメラへの取り付けの際に上記第２の結合手段と結合する上記ビデオカメラ側の結合手段が挿入される凹所を設け、
上記第１の結合手段の両側縁にガイド溝を設けること
をことを特徴とするカメラ付属品。
【発明の詳細な説明】
【０００１】
【産業上の利用分野】
本発明は、例えばＶＴＲ一体型ビデオカメラに適用するのに最適なビデオカメラに関し、特に、バッテリーパックの取付構造に関するものである。
【０００２】
【従来の技術】
従来から、ＶＴＲ一体型ビデオカメラにおけるバッテリー取付構造は、ビデオカメラ本体の後面にバッテリーケースをビス止め等にて固着し、そのバッテリーケース内にバッテリーパックを着脱自在に収納させる構造が一般的であった。なお、一部には、バッテリーパック（アントンバウワー社製の大型バッテリーパックのこと）の前面に３本のフランジ付ピンを取り付け、ビデオカメラ本体の後面に３つのダルマ穴を形成して、フランジ付ピンをダルマ穴に挿入して水平方向にスライドさせることによってバッテリーパックをバッテリーケースに入れることなく直接ビデオカメラ本体の後面に着脱可能に取り付けるようにしたものもあった。
【０００３】
【発明が解決しようとする課題】
しかし、バッテリーケースを用いる構造は部品点数及び組立工数が多くなり、著しくコスト高につく。また、バッテリーパックを３本のフランジ付ピンと３つのダルマ穴を用いてビデオカメラ本体の後面に水平方向にスライドさせて取り付ける構造は、振動等によってバッテリーパックが水平方向にガタつき易く、頑丈なロック機構が必要となって著しくコスト高につく。また、バッテリーパックの取り付け時には、３本のフランジ付ピンを３つのダルマ穴に正確に位置合わせしなければならず、バッテリーパックの取り付け操作が面倒であると言う問題があった。
【０００４】
本発明は、上記の問題を解決するためになされたものであって、バッテリーパック、アダプターやカメラ付属品を直接ビデオカメラに着脱可能に取付ける際に、その着脱を容易に行え、かつ、構造的に信頼性が高いバッテリーパック、アダプターやカメラ付属品を提供することを目的としている。
【０００５】
【課題を解決するための手段】
上記の目的を達成するための本発明のバッテリーパック、アダプター及びカメラ付属品は、結合面の下部に設けられた電気的結合部である第１の結合手段と、結合面の第１の結合手段より上部に設けられ、ビデオカメラへの取り付けの際に第１の結合手段をセンターリングするためのテーパー状ガイドを有する機械的結合部である第２の結合手段とを備え、第１の結合手段と第２の結合手段を上記結合面に対して埋め込み、第２の結合手段の両側から下部にかけて結合面に形成された凹所であって、ビデオカメラへの取り付けの際に第２の結合手段と結合するビデオカメラ側の結合手段が挿入される凹所を設け、第１の結合手段の両側縁にガイド溝を設けるものである。
【０００６】
【作用】
上記のように構成された本発明のバッテリーパック、アダプター及びカメラ付属品は、ビデオカメラへ結合する際に、ビデオカメラ側の機械的結合部を結合面の凹所に挿入することによって、大まかな位置決めを行うことができる。その後、機械的結合部のテーパー状ガイドに沿って電気的結合部をセンターリングし、電気的結合部を結合する際には、機械的結合部のセンターリングと併せて、電気的結合部の両側縁に設けられたガイド溝により正確且つ確実に結合することができる。また、電気的結合部と機械的結合部は結合面から出っ張っている構造ではなく、結合面に対して埋め込まれた構造に構成されているので、これら電気的結合部と機械的結合部を結合面で安全に保護することができる。
【０００７】
【実施例】
以下、本発明を適用したＶＴＲ一体型ビデオカメラの一実施例を図を参照して説明する。
【０００８】
［ビデオカメラ全体の説明］
まず、図１４〜図１６によって、ＶＴＲ一体型ビデオカメラ（以下、単にビデオカメラと記載する）の全体を説明する。
【０００９】
このビデオカメラ１は、ビデオカメラ本体２を備え、このビデオカメラ本体２内の前部側と後部側には撮像装置とカセット式ＶＴＲ（何れも図示せず）が内蔵されている。
【００１０】
そして、ビデオカメラ本体２の前側の垂直な側面である前面２ａで撮像装置の光軸上にズームレンズ等のレンズ３がレンズマウント４によって交換可能に取り付けられている。
【００１１】
そして、ビデオカメラ本体２の上面２ｂ上に、詳細構造を後述するほぼ下向きのコ字状に形成された把手５の前後一対の脚部５ａが複数のねじ６によってねじ止めされている。
【００１２】
そして、ビデオカメラ本体２の下面２ｃにほぼアーチ状に弯曲されたショルダーパッド７がねじ止め等にて取り付けられている。
【００１３】
そして、ビデオカメラ本体２の後側の垂直な側面である後面２ｄには後述する複数のカメラ付属部品を選択的に取り付けるための取付機構８が取り付けられている。なお、後面２ｄの下面には複数のコネクター９が備えられている。
【００１４】
［バッテリーパックの取付機構の説明］
次に、図１〜図４によって、ビデオカメラ本体２側の結合面である後面２ｄにバッテリーパックを取り付けるための取付機構８を説明する。
【００１５】
まず、カメラ付属部品であるバッテリーパック１１はリチューム電池等で構成された偏平な直方体形状の小型バッテリーパックを構成している。
【００１６】
そして、取付機構８は、バッテリーパック１１をビデオカメラ本体２に機械的に着脱可能に結合するためのロック機構１２付の機械的結合部（第２の結合手段）である凹凸嵌合部１３と、バッテリーパックをビデオカメラ本体２に電気的に着脱可能に接続するための電気的結合部（第１の結合手段）を言う電気的接続部である電源接続用のコネクター１４とを備えている。
【００１７】
そして、凹凸嵌合部１３は、ビデオカメラ本体２の後面２ｄの上下、左右のほぼ中央部に複数のねじ１３０によって垂直状にねじ止めされた凹側部材１３１と、バッテリーパック１１の結合面である垂直な前面１１ａの上下、左右のほぼ中央部に一体成形等にて形成された凸側部材１３２とによって構成されている。なお、この凸側部材１３２は前面１１ａに形成された凹所１３３内の上側の中央部に形成されている。
【００１８】
そして、凹側部材１３１があり溝１３４に形成され、凸側部材１３２があり１３５に形成されている。そして、これらあり溝１３４及びあり１３５の左右両側面が下方である矢印ａ方向に向って先すぼまり状で、かつ、左右対称状となるテーパー状ガイド１３６、１３７に形成されている。
【００１９】
そして、ロック機構１２は、凹側部材１３１のあり溝１３４の裏側に後面２ｄと平行に形成された上下一対の水平なガイド溝１２０、１２１内に挿入されて、左右方向である矢印ｂ、ｂ′方向にスライド自在に構成されたロック爪２２を有するロックスライダー１２３及びロック解除用レバー１２４と、これらロックスライダー１２３及びロック解除用レバー１２４を矢印ｂ方向にスライド付勢する付勢手段である圧縮コイルばね１２５と、ロック解除用レバー１２４の先端に固着されたロック解除用つまみ１２６と、凸側部材１３２の一方の側面に形成されて上記ロック爪１２１が係合されるロック用凹部１２７とによって構成されている。
【００２０】
そして、ロック解除用つまみ１２６がビデオカメラ本体２の後面２ｄから図１４で矢印ｃ方向から見て左側に僅かに突出されていて、このロック解除用つまみ１２６に対応させてバッテリーパック１１の前面１１ａと、図１４で矢印ｃ方向から見て左側の側面１１ｂとのコーナー部分に凹み１２８が形成されている。
【００２１】
そして、コネクター１４は、ビデオカメラ本体２の後面２ｄで凹側部材１３１の真下位置に複数のねじ１４０によって上向きで垂直状にねじ止めされた垂直な複数のコネクターピン１４１を有する雄側部材１４２と、バッテリーパック１１の前面で凸側部材１３２の真下位置に一体成形等にて下向きに形成された垂直な複数のピン差込穴１４３を有する雌側部材１４４とによって構成されている。なお、雄側部材１４２にはスライドシャッター１４５が設けられている。
【００２２】
なお、ビデオカメラ本体２の後面２ｄの下端側には左右一対の垂直なガイド突起１４６が形成されていて、バッテリーパック１１の前面１１ａにはその下端から上方に向って切り込まれた左右一対の垂直なガイド溝１４７が形成されている。また、コネクター１４の雄側部材１４２の左右両側縁に左右一対の垂直なガイド突起１４８が後面２ｄと平行状形成されていて、雌側部材１４４の左右両側縁には左右一対の垂直なガイド溝１４９が形成されている。
【００２３】
［バッテリーパックの取り付け操作］
バッテリーパック１１をビデオカメラ本体２の後面２ｄに取り付ける際には、図１６に１点鎖線で示すように、カメラマンが右手の親指と他の４本の指（人差し指、中指、薬指、小指）でバッテリーパック１１の左右両側面１１ｂ、１１ｃの上下方向のほぼ中央を両側からつまんで、図２に１点鎖線で示すように、バッテリーパック１１の前面１１ａの凹所１３２の下端側を凹側部材１３１の外周に大まかに挿入させるようにして、図１４及び図１６に１点鎖線で示すように、前面１１ａを後面２ａに矢印ｃ方向から平行状に当接させる。
【００２４】
次に、バッテリーパック１１を図２、図１４及び図１６に１点鎖線で示す位置から実線で示す位置まで後面２ｄに沿って下方である矢印ａ方向に平行に引き下げる。
【００２５】
すると、図２及び図３に実線で示すように、左右一対のテーパー状ガイド１３６、１３７によって凸側部材１３２が凹側部材１３１内に矢印ａ方向に自動的に誘導されて、あり１３５があり溝１３４内に自動的に嵌合される。
【００２６】
この際、テーパー状ガイド１３６、１３７によってコネクター１４のセンターリングが自動的に行われて、コネクター１４の複数のピン差込穴１４３が複数のコネクターピン１４１に矢印ａ方向からスムーズに差し込まれる。
【００２７】
なおこの際、左右一対のガイド溝１４７、１４９が左右一対のガイド突起１４６、１４８に矢印ａ方向から挿入される。
【００２８】
そして、あり溝１３４内にあり１３５が完全に嵌合された時に、これまで、あり１３５の一方のテーパー状ガイド１３７によって図４で１点鎖線で示すように矢印ｂ′方向に押し動かされていたロック爪１２２が図４に実線で示すように圧縮コイルばね１２３によって矢印ｂ方向に移動復帰して、図２に示すように、このロック爪１２２が凸側部材１３２のロック用凹部１２７内に矢印ｂ方向から係合されて、バッテリーパック１１がビデオカメラ本体２に自動的にロックされる。
【００２９】
そして、この時、バッテリーパック１１の凹み１２８がロック解除用つまみ１２６内に挿入される。
【００３０】
従って、このバッテリーパック１１の取付機構８によれば、バッテリーパック１１をバッテリーケース内に入れることなく、ビデオカメラ本体２の後面２ｄに直接取り付けることができる。
【００３１】
しかも、このバッテリーパック１１の取り付け時には、バッテリーパック１１の凹所１３３を凹側部材１３１の外周に矢印ｃ方向から大まかに挿入した後、バッテリーパック１１を矢印ａ方向に移動するだけのワンタッチ操作を行うだけで、凹凸嵌合部１３によってバッテリーパック１１をビデオカメラ本体２に機械的に容易に結合できると同時に、コネクター１４によってバッテリー１１をビデオカメラ本体２に電気的にも容易に接続することができて、バッテリーパック１１の電源をビデオカメラ本体２に供給することができる。
【００３２】
従って、バッテリーパック１１のビデオカメラ本体２の後面２ｄへの取り付けを非常に簡単、かつ、容易に行える。
【００３３】
そして、凹凸嵌合部１３の左右一対のテーパー状ガイド１３６、１３７でコネクター１４のセンターリングを自動的に行うことができるので、コネクター１４の複数のピン差込穴１４３を複数のコネクターピン１４１に誤操作なく、しかも、スムーズに差し込むことができる。
【００３４】
そして、凹凸嵌合部１３のあり溝１３４に対するあり１３５の嵌合方向及びコネクター１４の複数のコネクターピン１４１に対する複数のピン差込穴１４３の差し込み方向が上方から下方である矢印ａ方向であるから、これらの嵌合及び差し込みをバッテリーパック１１の自重を利用して確実に行える。
【００３５】
従って、バッテリーパック１１をビデオカメラ本体２に対して機械的に頑丈に結合できると共に、電気的にも信頼性の高い接続を行えて、振動等による悪影響を未然に防止することができる。
【００３６】
また、バッテリーパック１１の自重を利用して、あり溝１３４の左右一対のテーパー状ガイド１３６にあり１３５の左右一対のテーパー状ガイド１３７をクサビ作用によって強固に密着させることができることから、バッテリーパック１１をビデオカメラ本体２にガタつきの皆無な状態に安定良く結合することができる。
【００３７】
［バッテリーパックの取り外し操作］
バッテリーパック１１をビデオカメラ本体２の後面２ｄから取り外す際は、まず、図３に１点鎖線で示すように、カメラマンがバッテリーパック１１のバッテリーパック１１の左右両側面１１ｂ、１１ｃの上下方向のほぼ中央を右手の親指と、他の４本の指（人差し指、中指、薬指、小指）で両側からつまむようにして、親指をロック解除用つまみ１２６上に載せて、親指でロック解除用つまみ１２６を矢印ｂ′方向に押す。
【００３８】
すると、図４に１点鎖線で示すように、ロック解除用レバー１２４によってロックスライダー１２３が圧縮コイルばね１２５に抗して矢印ｂ′方向にスライドされて、ロック爪１２２が凸側部材１３２のロック用凹部１２７から外れて、バッテリーパック１１のロックが解除される。
【００３９】
一方、この瞬間に、親指で押されたロック解除用つまみ１２６がバッテリーパック１１の凹み１２８内の奥まで矢印ｂ′方向に入り込み、その親指でバッテリーパック１１の左側の側面１１ｂをそのままつかむことができる。
【００４０】
即ち、ロック解除用つまみ１２６に対応させて、バッテリーパック１１の前面１１ａと左側の側面１１ｂとのコーナー部に凹み１２８を形成したことによって、右手の親指でロック解除用つまみ１２６を矢印ｂ′方向に押して、バッテリーパック１１のロックを解除すると同時に、右手の親指と、他の４本の指とによって、バッテリーパック１１の左右両側面１１ｂ、１１ｃを容易に、しかも、確実につかむことができる。
【００４１】
そこで、この後、バッテリーパック１１を後面２ｄに沿って上方である矢印ａ′方向に引き上げれば、図２に１点鎖線で示すように、凹凸嵌合部１３のあり溝１３４内から矢印ａ′方向に抜き取られると同時に、コネクター１４の複数のピン差込穴１４３が複数のコネクターピン１４１から矢印ａ′方向に抜き取られる。
【００４２】
なおこの時、左右一対のガイド突起１４６とガイド溝１４７によって、バッテリーパック１１のこじれを防止して、バッテリーパック１１を矢印ａ′方向にスムーズに引き上げることができる。
【００４３】
従って、後は、バッテリーパック１１を図１４で矢印ｃ方向に簡単に取り外すことができ、このバッテリーパック１１の取り外し操作も、前述した取り付け操作と同様に簡単、かつ、容易に行える。
【００４４】
［カメラ付属部品の説明］
次に、図５〜図８によって、ビデオカメラ本体２の後面２ｄに選択的に取り付けることができる複数種類のカメラ付属部品を説明する。
【００４５】
即ち、図５に示すカメラ付属部品は、アダプター１６の後面１６ｂに固着した小型のバッテリーケース１７内に小型のバッテリー１８を交換可能に収納した小型バッテリーアダプター１９を示している。なお、バッテリーケース１７は上蓋１７ａが開閉自在に構成されていて、小型のバッテリー１８をバッテリーケース１７内に上方から着脱するように構成されている。
【００４６】
次に、図６に示すカメラ付属部品は、アダプター１６の後面１６ｂに固着した大型のバッテリーケース２１内に大型のバッテリー２２を交換可能に収納した大型バッテリーアダプター２３を示している。なお、バッテリーケース２１は横蓋２１ａが開閉自在に構成されていて、大型のバッテリー２２を横方向から着脱するように構成されている。
【００４７】
次に、図７に示すカメラ付属部品は、アダプター１６の後面１６ｂに固着したバッテリー取付台２５にアントンバウワー社製の大型バッテリーパック２６を着脱可能に取り付けた大型バッテリーパックアダプター２７を示している。なお、大型バッテリーパック２６を３本のフランジ付ピン２６ａとコネクター２６ｂとによってバッテリー取付台２５の後面２５ａに横方向から差し込むようにして着脱するように構成されている。
【００４８】
次に、図８に示すカメラ付属部品は、アダプター１６の後面１６ｂに一体に形成したカメラアダプター２９を示したものである。
【００４９】
そして、これら小型、大型バッテリーアダプター１９、２３、大型バッテリーパックアダプター２７、カメラアダプター２９のアダプター１６は全て同一構造に構成されていて、これらのアダプター１６の前面１６ａには、前述した機械的結合部である凹凸嵌合部１３及び電気的接続部であるコネクター１４の前記バッテリーパック１１の前面１１ａ側の構造が全て形成されている。
【００５０】
従って、前述したようなバッテリーパック１１の着脱操作と全く同じ要領で、これら小型、大型バッテリーアダプター１９、２３、大型バッテリーパックアダプター２７及びカメラアダプター２９をビデオカメラ本体２の後面２ｄに選択的に取り付けてロックすることができる。
【００５１】
但し、カメラアダプター２９は電源接続用のコネクター１４の他に信号接続用のコネクター３０ａがアダプター１６の前面１６ａの上部側の一側部に下向きで垂直状に取り付けられている。そこで、このコネクター３０ａをビデオカメラ本体２の後面２ｄの上部側の一側部に形成されている凹部３１内に挿入し、その凹部３１内の下端に上向けで垂直状に取り付けられているコネクター３０ｂに上方（矢印ａ方向のこと）から差し込んで接続するように構成されている。
【００５２】
また、このカメラアダプター２９はコントローラ（図示せず）との間をケーブル３２で接続する関係で、ビデオカメラ本体２に頑丈に固定する必要がある。そこで、アダプター１６の上部中央部に取り付けたロックねじ３３をビデオカメラ本体２の後端の上部中央部に形成したロックねじ取付穴３４内に上方（矢印ａ方向のこと）からねじ込んで強固にロックする。
【００５３】
［把手の説明］
次に、図９〜図１３によって、把手５を説明する。
【００５４】
この把手５は前後一対の脚部５ａと、これらの脚部５ａの上端部間を前後方向に緩やかに曲線状に接続した手掛け部５ｂとが互いに一体に成形された把手本体１５１と、この把手本体１５１の手掛け部５ｂの下部に交換可能に取り付けられる複数種類の指掛け部１５２、１５３、１５４等によって上下２分割構造に構成されている。
【００５５】
そして、把手本体１５１がアルミダイキャストや合成樹脂等によって成形されていて、この把手本体１５１の前後一対の脚部５ｂが図１４〜図１５に示すようにビデオカメラ本体２の上面２ａ上に複数のねじ６によってねじ止めされている。
【００５６】
一方、複数種類の指掛け部１５２、１５３、１５４はアルミダイキャスト、合成樹脂、木等によって成形されていて、例えば図１０に示す指掛け部１５２は下面１５２ａがフラットに形成され、別の指掛け部１５３の下面１５３ａが波形に形成され、もう１つの指掛け部１５４の下面１５４ａ側の外周には指のすべり止め１５４ｂが接着等にて形成されている。
【００５７】
そして、これら複数種類の指掛け部１５２、１５３、１５４は同一構造に構成されていて、把手本体１５１の手掛け部５ｂの下側に前後一対のねじ１５５、１５６によって交換可能に取り付けられる。なお、手掛け部５ｂの前端側の上部には開閉蓋１５７がねじ１５８によって着脱自在に取り付けられている。
【００５８】
そして、把手５の把手本体１５１の前端側の上部と前面には照明用ライト取付部３６とビューファインダー取付部３７が設けられている。
【００５９】
そして、把手本体１５１と複数種類の指掛け部１５２、１５３、１５４とによって把手５を上下２分割構造に構成したことによって、この把手５の内部にその把手５の全長に亘る中空部３８を形成した中空構造に容易に加工することができる。
【００６０】
そして、この把手５の内部の中空部３８がビデオカメラ本体２の上面２ｂで前後一対の脚部５ａの真下位置に形成された前後一対の通気口３９を通してビデオカメラ本体内部４０に接続されている。
【００６１】
従って、この把手５を用いることにより、ビデオカメラ本体内部４０の熱を前後一対の通気口３９及び把手５内の中空部３８を通して効果的に循環させることができて、ビデオカメラ本体内部４０の放熱効果を促進させることができる。
【００６２】
また、カメラマンがこのビデオカメラ１を可搬する際には、図１４に１点鎖線で示すように、片手の親指を把手５の手掛け部５ｂ上に載せ、他の４本の指（人差し指、中指、薬指、小指）を把手５の指掛け部１５２等に下から当てがうようにして把手５を握ることになる。
【００６３】
従って、特に、４本の指が当たる側の指掛け部１５２等の材質（アルミニウム、合成樹脂、木等）、構造（すべり止めの有無等）、形状（フラット、波形等）等をカメラマン個々のニーズに対応して交換できることが好ましい。
【００６４】
その際、この把手５には複数種類の指掛け部１５２、１５３、１５４等が予め用意されており、前後一対のねじ１５５、１５６を取り外すだけで、カメラマンのニーズに対応した種類の指掛け部１５２、１５３、１５４等を簡単に、かつ、自由に交換することができる。
【００６５】
次に、夜間撮影等においては、図１４に示すように、把手５の前端の上部の照明用ライト取付部３６に照明用ライト４１を取り付け、そのライトケーブル４２をビデオカメラ本体２の後面２ｄまで引き回して、そのライトケーブル４２の後端のコネクター４３を後面２ｄのコネクター９の１つに差し込んで使用する。
【００６６】
その際、指掛け部１５２、１５３、１５４の着脱によって、図１４に示すように、ライトケーブル４２を把手５の中空部３８内に挿通して引き回すことができるので、図１４に１点鎖線で示すように、片手で把手５を握った時に、ライトケーブル４２が全く邪魔にならず、ビデオカメラ１の操作性が非常に良い。
【００６７】
なお、図１０及び図１１に示すように、ライトケーブル４２を中空部３８内に挿通し易いように、把手本体１５１と指掛け部１５２、１５３、１５４等の前後両端には前後一対の切欠き４４、４５が形成されている。
【００６８】
以上、本発明の一実施例に付き述べたが、本発明は上記の実施例に限定されることなく、本発明の技術的思想に基づいて各種の変更が可能である。
例えば、凹凸嵌合部１３の凹側部材１３１と凸側部材１３２やコネクター１４の雄側部材１４２と雌側部材１４４をビデオカメラ本体２とバッテリーパックやアダプター１６に対して互いに反対側に置き換えても良い。その際には、凹凸嵌合部１３のテーパー状ガイド１３６、１３７は上下逆向きとなる。
【００６９】
【発明の効果】
以上のように本発明によれば、以下のような効果を奏する。
【００７０】
本発明のバッテリーパック、アダプター及びカメラ付属品は、ビデオカメラへ結合する際に、ビデオカメラ側の機械的結合部を結合面の凹所に挿入することによって、大まかな位置決めを行うことができる。その後、機械的結合部のテーパー状ガイドに沿って電気的結合部をセンターリングし、電気的結合部を結合する際には、機械的結合部のセンターリングと併せて、電気的結合部の両側縁に設けられたガイド溝により正確且つ確実に結合することができる。従って、バッテリーパック、アダプター及びカメラ付属品をそれぞれビデオカメラへ結合する際に、凹所による大まかな位置決め機能と、テーパー状ガイドによる電気的結合部のセンターリング機能と、一対のガイド溝によるビデオカメラに対するガイド機能との一連の動作によって、これらバッテリーパック、アダプター及びカメラ付属品をそれぞれビデオカメラへ容易に、スムーズ且つ正確に結合することができる。
また、電気的結合部と機械的結合部が結合面から出っ張っておらず、結合面に対して埋め込まれた構造に構成されていて、これら電気的結合部と機械的結合部を結合面で安全に保護することができるので、これらバッテリーパック、アダプター及びカメラ付属品を誤って落としたり、他物と衝突させた時等に、これら電気的結合部と機械的結合部を破損させないように保護することができ、頗る安全性が高い。
【図面の簡単な説明】
【図１】本発明を適用したビデオカメラの一実施例におけるビデオカメラ本体に対するバッテリーパックの取付機構を説明する斜視図である。
【図２】上記取付機構を説明する垂直断面での背面図である。
【図３】図３の（Ａ）は図２のＡ−Ａ矢視での断面図であり、図３の（Ｂ）は図２のＢ−Ｂ矢視での断面図である。
【図４】図４は図３の（Ａ）のＣ−Ｃ矢視での断面図である。
【図５】ビデオカメラ本体に対する小型バッテリーアダプターの取付機構を説明する斜視図である。
【図６】ビデオカメラ本体に対する大型バッテリーアダプターの取付機構を説明する斜視図である。
【図７】ビデオカメラ本体に対する大型バッテリーユニットアダプターの取付機構を説明する斜視図である。
【図８】ビデオカメラ本体に対するカメラアダプターの取付機構を説明する斜視図である。
【図９】把手の斜視図である。
【図１０】把手の複数種類の指掛け部を説明する側面図である。
【図１１】把手の分解平面図である。
【図１２】図１１のＤ−Ｄ矢視での断面図である。
【図１３】図１２のＥ−Ｅ矢視での断面における組立状態と分解状態を示す断面図である。
【図１４】ビデオカメラ全体の側面図である。
【図１５】ビデオカメラ全体の平面図である。
【図１６】ビデオカメラ全体の背面図である。
【符号の説明】
１  ビデオカメラ、２  ビデオカメラ本体、２ｄ  ビデオカメラ本体の後面、１１  バッテリーパック、１１ａ  バッテリーパックの前面、１２  ロック機構、１２１  ロック機構のロック爪、１２３  ロック機構のロックスライダー、１２４  ロック機構のロック解除用レバー、１２５  ロック機構の圧縮コイルばね、１２６  ロック機構のロック解除用つまみ、１２７  ロック機構のロック用凹部、１２８  バッテリーパックの凹み、１３  凹凸嵌合部、１３１  凹凸嵌合部の凹側部材、１３２  凹凸嵌合部の凸側部材、１３３  凹凸嵌合部の凹所、１３４  凹凸嵌合部のあり溝、１３５  凹凸嵌合部のあり、１３６、１３７  凹凸嵌合部のテーパー状ガイド、１４  コネクター、１４１  コネクターのコネクターピン、１４２  コネクターの雄側部材、１４３  コネクターのピン差込穴、１４４  コネクターの雌側部材
【図１】
0003632688.tif 000002
【図２】
0003632688.tif 000003
【図３】
0003632688.tif 000004
【図４】
0003632688.tif 000005
【図５】
0003632688.tif 000006
【図６】
0003632688.tif 000007
【図７】
0003632688.tif 000008
【図８】
0003632688.tif 000009
【図９】
0003632688.tif 000010
【図１０】
0003632688.tif 000011
【図１１】
0003632688.tif 000012
【図１２】
0003632688.tif 000013
【図１３】
0003632688.tif 000014
【図１４】
0003632688.tif 000015
【図１５】
0003632688.tif 000016
【図１６】
0003632688.tif 000017